(57)【要約】【課題】発電量を向上するとともに車両の視認性の低下を抑制可能な車載用太陽電池、及び車載用太陽電池を搭載した車両を提供する。【解決手段】車載用太陽電池は、車両Ｃの上面部に設置された第１太陽電池パネル１０と、第１太陽電池パネル１０よりも光反射率が高く車両Ｃの側面部に設置された第２太陽電池パネル２０とを備える。これにより、車両Ｃの上面部に加えて側面部に設置された太陽電池パネル２０による発電量が見込めるとともに、他車両の乗員、歩行者等の目に触れ易い側面部での光の反射が確保される。よって、発電量を向上するとともに車両の視認性の低下を抑制することができる。【選択図】図１
2014184833.tif 000002
【特許請求の範囲】
【請求項１】
車両の上面部に設置された第１太陽電池と、
前記第１太陽電池よりも光反射率が高く前記車両の側面部に設置された第２太陽電池と、
を備える車載用太陽電池。
【請求項２】
前記第２太陽電池の表面には、反射防止構造部が設けられていない、請求項１に記載の車載用太陽電池。
【請求項３】
前記第２太陽電池の表面には、特定の波長領域の光を反射させるための構造部が設けられている、請求項１に記載の車載用太陽電池。
【請求項４】
前記構造部は、ダイクロイックフィルタである、請求項３に記載の車載用太陽電池。
【請求項５】
前記第２太陽電池の表面には、前記第２太陽電池の前面板の反射率よりも反射率を高くするための構造部が設けられている、請求項１に記載の車載用太陽電池。
【請求項６】
前記構造部は、高屈折率膜である、請求項５に記載の車載用太陽電池。
【請求項７】
請求項１〜６のいずれか一項に記載の車載用太陽電池を搭載した車両。
【発明の詳細な説明】
【技術分野】
【０００１】
本発明は、車載用太陽電池、及び車載用太陽電池を搭載した車両に関する。
【背景技術】
【０００２】
従来、車載用太陽電池、及び車載用太陽電池を搭載した車両に関連して、例えば特開２００３−６２９２１号公報に記載されるように、車両のルーフ、サイドガラス等に反射防止膜を備えた太陽電池を設置することが知られている。このように、車両の上面部に加えて側面部に太陽電池を設置することにより、太陽電池全体による発電量を向上することができる。
【先行技術文献】
【特許文献】
【０００３】
【特許文献１】特開２００３−６２９２１号公報
【特許文献２】特開２００５−９９６９３号公報
【特許文献３】特開２０１２−５１５４５２号公報
【特許文献４】特開２００９−３０２３４５号公報
【発明の概要】
【発明が解決しようとする課題】
【０００４】
しかし、車両の側面部に反射防止膜を備えた太陽電池を設置すると、他車両のヘッドライトや街灯の光が反射防止膜に吸収されて殆ど反射しなくなり、夜間等、暗所での車両の視認性が低下するおそれがある。
【０００５】
そこで、本発明は、発電量を向上するとともに車両の視認性の低下を抑制可能な車載用太陽電池、及び車載用太陽電池を搭載した車両を提供しようとするものである。
【課題を解決するための手段】
【０００６】
本発明に係る車載用太陽電池は、車両の上面部に設置された第１太陽電池と、第１太陽電池よりも光反射率が高く車両の側面部に設置された第２太陽電池とを備える。
【０００７】
本発明に係る車載用太陽電池によれば、車両の上面部に第１太陽電池が設置され、車両の側面部に第１太陽電池よりも光反射率が高い第２太陽電池が設置される。これにより、車両の上面部に加えて側面部に設置された太陽電池による発電量が見込めるとともに、他車両の乗員、歩行者等の目に触れ易い側面部での光の反射が確保される。よって、発電量を向上するとともに車両の視認性の低下を抑制することができる。
【０００８】
本発明に係る車両は、前述した車載用太陽電池を搭載している。本発明に係る車両によれば、発電量を向上するとともに車両の視認性の低下を抑制することができる。
【発明の効果】
【０００９】
本発明によれば、発電量を向上するとともに車両の視認性の低下を抑制可能な車載用太陽電池、及び車載用太陽電池を搭載した車両を提供することができる。
【図面の簡単な説明】
【００１０】
【図１】本発明の実施形態に係る車載用太陽電池を搭載した車両を示す前面斜視図である。
【図２】本発明の実施形態に係る車載用太陽電池を搭載した車両を示す背面斜視図である。
【図３】低反射率パネル及び高反射率パネルの構成例を示す断面図である。
【図４】低反射率パネル及び高反射率パネルの他の構成例を示す断面図である。
【図５】低反射率パネル及び高反射率パネルの更に他の構成例を示す断面図である。
【発明を実施するための形態】
【００１１】
以下、添付図面を参照して、本発明の実施形態に係る車載用太陽電池、及び車載用太陽電池を搭載した車両を詳細に説明する。なお、図面の説明において同一の要素には同一の符号を付し、重複する説明を省略する。
【００１２】
図１及び図２は、本発明の実施形態に係る車載用太陽電池を搭載した車両Ｃを示す斜視図である。図１は、前面斜視図を示しており、図２は、背面斜視図を示している。
【００１３】
図１及び図２に示すように、車両Ｃの表面には、低反射率パネル１０（第１太陽電池）と高反射率パネル２０（第２太陽電池）が設置されている。
【００１４】
低反射率パネル１０は、反射防止構造部が設けられた太陽電池パネルである。なお、太陽電池パネルとは、電池セルを含む複数の太陽電池が板状に配列されたものである。低反射率パネル１０は、車両Ｃの表面のうち他車両の乗員、歩行者等の目に触れ難い太陽光被照射面に設置される。低反射率パネル１０は、ルーフ（パネル１０ａ）、ボンネット（パネル１０ｂ）等、車両の上面部に設置される。
【００１５】
低反射率パネル１０は、フロントフェイス（パネル１０ｃ）、バックドア（パネル１０ｄ）に設置されてもよい。フロントフェイス及びバックドアは、夜間等、暗所では、車両Ｃのライトの点灯により視認性が確保され易くなるためである。
【００１６】
高反射率パネル２０は、低反射パネル１０よりも光反射率が高い太陽電池パネルである。光反射率とは、光入射面となる電池表面での反射率を意味する。高反射率パネル２０は、車両Ｃの表面のうち他車両の乗員、歩行者等の目に触れ易い太陽光被照射面に設置される。高反射率パネルは、サイドドア（パネル２０ａ）、フロントフェンダ（パネル２０ｂ）、リヤフェンダ（パネル２０ｃ）等、車両Ｃの側面部に設置される。
【００１７】
図３は、低反射率パネル１０及び高反射率パネル２０の構成例を示す断面図である。なお、図３は、太陽電池パネルの一部を示す断面図である。
【００１８】
低反射率パネル１０及び高反射率パネル２０Ａは、いずれも基本構成として電池セル３１及び前面板３２を有する。電池セル３１同士は、電極３１ａを介して不図示の充電回路等に接続される。なお、図３では、３つの電池セル３１により１つの電池ユニットが形成されているが、電池ユニットを形成する電池セル３１の数は、３つに限定されるものではない。
【００１９】
電池セル３１は、封止材３３に封止された状態で、電池設置面となる背面部材３４（車体部材等）に取り付けられる。前面板３２は、封止材３３の表面を被覆する。封止材３３としては、例えばＥＶＡ（エチレン酢酸ビニル共重合樹脂）シートが用いられ、前面板３２としては、例えば白板強化ガラスが用いられる。
【００２０】
そして、例えば、図３に示す例では、低反射率パネル１０の表面には、前面板３２の表面に反射防止膜、反射防止微細構造等の反射防止構造部３５が設けられている。一方、高反射率パネル２０Ａの表面には、反射防止構造部が設けられていない。
【００２１】
図４は、低反射率パネル１０及び高反射率パネル２０の他の構成例を示す断面図である。なお、図４は、太陽電池パネルの一部を示す断面図である。
【００２２】
図４に示す例では、前述した基本構成に加えて、低反射率パネル１０の表面には、前面板３２の表面に反射防止膜、反射防止微細構造等の反射防止構造部３５が設けられている。一方、高反射率パネル２０Ｂの表面には、特定の波長領域の光を反射させるための構造部３６が設けられている。この構造部３６としては、例えばダイクロイックフィルタが設けられる。
【００２３】
ダイクロイックフィルタとは、薄膜による光の干渉を利用して、特定の波長領域の光を反射し、残りの波長領域の光を透過する光フィルタである。ダイクロイックフィルタでは、フィルタの膜厚・膜数等を調節することにより特定の波長領域の光を反射させることができる。これにより、太陽光に含まれる視認性が高い波長領域の光のみを反射させることができる。また、車体の色に近い波長領域の光を反射させることにより、電池表面の色を車体の色に近づけることができる。
【００２４】
図５は、低反射率パネル１０及び高反射率パネル２０の更に他の構成例を示す断面図である。なお、図５は、太陽電池パネルの一部を示す断面図である。
【００２５】
図５に示す例では、前述した基本構成に加えて、低反射率パネル１０の表面には、前面板３２の表面に反射防止膜、反射防止微細構造等の反射防止構造部３５が設けられている。一方、高反射率パネル２０Ｃの表面には、高反射率パネル２０Ｃの前面板３２の反射率よりも反射率を高くするための構造部３７が設けられている。この構造部３７としてが、例えば高屈折率膜が設けられる。
【００２６】
高屈折率膜は、例えば、硫黄、ハロゲン、芳香環等をポリマに導入した高屈折率ポリマにより構成される。高屈折率膜は、一酸化チタン（ＴｉＯ）、二酸化チタン（ＴｉＯ２）等、高屈折率の誘電体により構成されてもよい。高屈折率膜の膜厚は、例えば３００ｎｍ程度とすることができる。
【００２７】
以上説明したように、本発明の実施形態に係る車載用太陽電池、及び車載用太陽電池を搭載した車両Ｃによれば、車両Ｃの上面部に第１太陽電池パネル１０が設置され、車両Ｃの側面部に第１太陽電池パネル１０よりも光反射率が高い第２太陽電池パネル２０が設置される。これにより、車両Ｃの上面部に加えて側面部に設置された太陽電池パネル２０による発電量が見込めるとともに、他車両の乗員、歩行者等の目に触れ易い側面部での光の反射が確保される。よって、発電量を向上するとともに車両Ｃの視認性の低下を抑制することができる。
【００２８】
なお、前述した実施形態は、本発明に係る車載用太陽電池、及び車載用太陽電池を搭載した車両の最良な実施形態を説明したものであり、本発明に係る車載用太陽電池、及び車載用太陽電池を搭載した車両は、本実施形態に記載したものに限定されるものではない。本発明に係る車載用太陽電池、及び車載用太陽電池を搭載した車両は、各請求項に記載した発明の要旨を逸脱しない範囲で本実施形態に係る車載用太陽電池、及び車載用太陽電池を搭載した車両を変形し、または他のものに適用したものであってもよい。
【００２９】
例えば、前述した実施形態では、太陽電池として太陽電池パネル、つまり板状に配列された太陽電池を用いる場合について説明した。しかし、太陽電池としては、板状に限らず、ブロック状等他の態様で配列された太陽電池を用いるようにしてもよい。
【符号の説明】
【００３０】
Ｃ…車両、１０…高反射率パネル（第１太陽電池）、２０、２０Ａ、２０Ｂ、２０Ｃ…高反射率パネル（第２太陽電池）、３１…電池セル、３２…前面板、３３…封止材、３４…背面部材、３５…反射防止構造部、３６…特定の波長領域の光を反射させるための構造部（ダイクロイックフィルタ等）、３７…反射率を高くするための構造部（高屈折率膜等）。
【図１】
2014184833.tif 000003
【図２】
2014184833.tif 000004
【図３】
2014184833.tif 000005
【図４】
2014184833.tif 000006
【図５】
2014184833.tif 000007